(57)【特許請求の範囲】
【請求項１】
鞄本体の開口を閉塞可能な蓋体を有する鞄において、該蓋体を閉じて前記鞄本体側に止めるための鞄用蓋止め具であって、
前記蓋体の先端側若しくは前記鞄本体側にそれぞれ配置されて相互に係合可能とされる雌型部材及び雄型部材と、前記蓋体の表面側に配置されて前記蓋体の表面に沿って回動可能とされる操作レバーと、を備える構成とされ、
前記蓋体側に配置される前記雄型部材若しくは前記雌型部材が、該操作レバーの回動に連動して、前記蓋体の表面に沿って回動可能に、構成され、
前記雄型部材は、前記雌型部材側に突出する突出部を有し、
前記雌型部材は、前記突出部を挿入可能な凹部を有する構成とされて、
前記突出部の外周面側と、前記凹部の内周面側と、には、相互に係合可能で、かつ、前記雄型部材若しくは前記雌型部材の一方を回動させた際に係合を解除可能とされる少なくとも一対の係合突起及び被係合突起が、突出して配置され、
前記雄型部材及び前記雌型部材が、それぞれ、磁石を有する構成とされ、
該磁石が、前記係合突起と前記被係合突起との係合時に、相互に引き付け合うような磁力を作用させ、前記係合突起と前記被係合突起との係合を解除する方向への前記操作レバーの回動時に、反発するような磁力を作用させるように、前記雄型部材と前記雌型部材とに配置されていることを特徴とする鞄用蓋止め具。
【請求項２】
前記各係合突起が、前記操作レバーの回転中心を中心として略対称となる２箇所に、形成されるとともに、それぞれ、前記突出部の円周の略１／４程度の領域に、連続的に形成されていることを特徴とする請求項１に記載の鞄用蓋止め具。
【請求項３】
前記操作レバーが、前記係合突起と前記被係合突起とを係合させている非回転位置よりも、使用者側から見て右方の角度領域のみにおいて、前記係合突起と前記被係合突起との係合を解除する方向である右方と、前記係合突起と前記被係合突起とを係合させる方向である左方と、に、回転可能で、かつ、回転角度を、１２０°以下の範囲内に設定されていることを特徴とする請求項２に記載の鞄用蓋止め具。
【請求項４】
前記雄型部材が、前記蓋体側に配置されて、
前記各係合突起が、前記突出部の先端側に形成されるとともに、前記操作レバーの回転中心軸に沿った断面において元部側にかけて拡開されるように、外表面を傾斜させて構成され、
前記雌型部材が、前記鞄本体側に配置されて、
前記各被係合突起が、それぞれ、前記操作レバーの回転中心軸に沿った断面において、内表面を、前記各係合突起の外表面に略沿って傾斜させて構成されるとともに、付勢手段によって前記凹部の内周面から突出するように付勢された状態で、前記凹部の内周面を凹ませて形成される収納部位内に取り付けられていることを特徴とする請求項１乃至３のいずれか１項に記載の鞄用蓋止め具。
【請求項５】
請求項１乃至４のいずれか１項に記載の鞄用蓋止め具を備えることを特徴とする鞄。
【請求項６】
請求項１乃至４のいずれか１項に記載の鞄用蓋止め具を備えることを特徴とするランドセル。
【請求項７】
前記鞄本体の底面側に配置される前記雌型部材若しくは前記雄型部材が、前後方向に沿って２個並設されていることを特徴とする請求項６に記載のランドセル。
【請求項８】
前記鞄用蓋止め具の左右両側に配置されて、背負いベルトの下端を係止するダルマ座金具が、前記鞄本体の底面からの突出量を、前記雄型部材と前記雌型部材とを係合させた状態での前記操作レバーの前記底面からの突出量よりも大きくするように、構成されていることを特徴とする請求項６又は７に記載のランドセル。
【発明の詳細な説明】
【技術分野】
【０００１】
本発明は、鞄本体の開口を閉塞可能な蓋体を有する鞄において、蓋体を閉じて鞄本体側に止めるための鞄用蓋止め具に関し、特にランドセルに好適な鞄用蓋止め具に関する。
【背景技術】
【０００２】
従来、鞄用蓋止め具としては、鞄本体側に配置される雄型部材と、蓋体の先端側に配置される雌型部材と、雄型部材に対して回転可能に雄型部材側に設けられて雄型部材と雌型部材とを連結させる際に使用する操作つまみと、を有する構成のものがあった。この従来の鞄用蓋止め具では、略平板状の雌型部材に、９０°回転させた状態の操作つまみを挿通可能な長穴状のスリットが、形成され、スリットを挿通させた状態の操作つまみを、スリットと交差させるように再度回転させることにより、雌型部材を雄型部材に連結させて、蓋体の先端側を鞄本体側に止める構成であった。そして、この従来の鞄用蓋止め具では、雌型部材を雄型部材に接触させるようにして、スリットに操作つまみを挿通させれば、この操作つまみが、雄型部材内に配置されるコイルばねの復元と回動板とによって、自動的に、スリットと略直交させるように回転される構成であった（例えば、特許文献１参照）。
【先行技術文献】
【特許文献】
【０００３】
【特許文献１】特開２０１１−６２３３８公報
【発明の概要】
【発明が解決しようとする課題】
【０００４】
しかし、従来の鞄用蓋止め具では、雄型部材と雌型部材との連結状態を解除させる際（蓋体を開ける際）に、コイルばねを圧縮させるようにして操作つまみを回動させる構成であることから、小学校低学年の子供には、若干強い力が必要となり、小さな子供でも楽に操作可能とする点に改善の余地があった。また、従来の鞄用蓋止め具では、回転させた操作つまみ自体により、スリットの周縁部位を押えて、雄型部材と雌型部材とを連結させる構成であることから、操作つまみをスリットに挿通可能な外形形状に設定する必要があって、操作つまみの外形形状を変更し難く、デザインの自由度が少なかった。
【０００５】
本発明は、上述の課題を解決するものであり、蓋体を容易に開閉可能で、かつ、デザインの自由度も大きな鞄用蓋止め具を提供することを目的とする。
【課題を解決するための手段】
【０００６】
本発明に係る鞄用蓋止め具は、鞄本体の開口を閉塞可能な蓋体を有する鞄において、蓋体を閉じて鞄本体側に止めるための鞄用蓋止め具であって、
蓋体の先端側若しくは鞄本体側にそれぞれ配置されて相互に係合可能とされる雌型部材及び雄型部材と、蓋体の表面側に配置されて蓋体の表面に沿って回動可能とされる操作レバーと、を備える構成とされ、
蓋体側に配置される雄型部材若しくは雌型部材が、操作レバーの回動に連動して、蓋体の表面に沿って回動可能に、構成され、
雄型部材は、雌型部材側に突出する突出部を有し、
雌型部材は、突出部を挿入可能な凹部を有する構成とされて、
突出部の外周面側と、凹部の内周面側と、には、相互に係合可能で、かつ、雄型部材若しくは雌型部材の一方を回動させた際に係合を解除可能とされる少なくとも一対の係合突起及び被係合突起が、突出して配置され、
雄型部材及び雌型部材が、それぞれ、磁石を有する構成とされ、
磁石が、係合突起と被係合突起との係合時に、相互に引き付け合うような磁力を作用させ、係合突起と被係合突起との係合を解除する方向への操作レバーの回動時に、反発するような磁力を作用させるように、雄型部材と雌型部材とに配置されていることを特徴とする。
【０００７】
本発明の鞄用蓋止め具では、蓋体の先端側若しくは鞄本体側にそれぞれ配置される雌型部材及び雄型部材が、それぞれ、磁石を備える構成とされ、これらの磁石は、係合突起と被係合突起との係合時に、相互に引き付け合うような磁力を作用させ、操作レバーの回動時に、反発するような磁力を作用させるように、配置される構成である。そして、本発明の鞄用蓋止め具では、係合突起と被係合突起とを係合させている状態から、操作レバーを回動させれば、蓋体側に配置される雌型部材若しくは雄型部材が、操作レバーに連動して回動されて、係合突起と被係合突起との係合状態が解除されることとなり、また、上記した如く、磁石相互が相互に反発することとなる。そのため、蓋体側に配置される雌型部材若しくは雄型部材は、操作レバーを回動させれば、鞄本体側に配置される雄型部材若しくは雌型部材に対して、係合突起と被係合突起との係合状態を解除されると同時に、この磁石間に作用する反発力を受けて、鞄本体側の雄型部材若しくは雌型部材から離れやすくなる。また、雄型部材と雌型部材とを係合させる際にも、雄型部材に形成される突出部を、雌型部に形成される凹部内に挿入させれば、蓋体側に配置される磁石が、鞄本体側に配置される磁石と引き合って、蓋体側に配置される雌型部材若しくは雄型部材及び操作レバーごと回動されることとなり、このような磁石間に生じる相互に引き合うような磁力を利用して、雄型部材と雌型部材とが、係合突起と被係合突起とを係合させるようにして、半自動的に相互に係合されることとなる。そのため、本発明の鞄用蓋止め具は、雄型部材と雌型部材とに配置される磁石の磁力を補助的に利用して、雌型部材と雄型部材とを係合若しくは係合解除させる構成であることから、雌型部材と雄型部材との係合及び係合解除が容易であり、小学校低学年の小さな子供でも楽に操作することができる。
【０００８】
また、本発明の鞄用蓋止め具では、操作レバーに連動するように配置される雄型部材若しくは雌型部材を、鞄本体側に配置される雌型部材若しくは雄型部材に係合させることにより、蓋体を鞄本体に止める構成であり、操作レバー自体を用いて、雄型部材と雌型部材とを連結させる構成ではないことから、操作時に把持し易い形状であれば、操作レバーの外形形状を大きく変更することが可能である。そのため、操作レバーのデザインの自由度が高く、意匠に富んだ鞄用蓋止め具を製造することができる。
【０００９】
したがって、本発明の鞄用蓋止め具は、操作性が良好であり、蓋本体を容易に開閉可能で、かつ、デザインの自由度も高い。
【００１０】
また、本発明の鞄用蓋止め具において、各係合突起を、操作レバーの回転中心を中心として略対称となる２箇所に、形成するとともに、それぞれ、突出部の円周の略１／４程度の領域に、連続的に形成させる構成とすれば、対称的な位置に配置される二対の係合突起及び被係合突起によって、安定して、係合状態を維持させることができ、また、操作レバーを９０°程度回動させなくては、係合突起と被係合突起との係合状態を解除できないことから、操作レバーが不用意に回動して係合突起と被係合突起との係合状態が解除されることを防止できて、好ましい。
【００１１】
さらに、上記構成の鞄用蓋止め具において、操作レバーを、係合突起と被係合突起とを係合させている非回転位置よりも、使用者側から見て右方の角度領域のみにおいて、係合突起と被係合突起との係合を解除する方向である右方と、係合突起と被係合突起とを係合させる方向である左方と、に、回転可能で、かつ、回転角度を１２０°以下の範囲内に設定させるように構成すれば、操作レバーの回動範囲が定められることから、操作レバーを、停止するまで右方向に回転させれば、確実に、雄型部材と雌型部材との係合状態を解除させることができて、操作レバーを左右どちらにも回動可能とし、かつ、回動範囲を定めない構成とする場合と比較して、操作レバーを操作し易い。
【００１２】
さらにまた、上記構成の鞄用蓋止め具において、雄型部材を、蓋体側に配置させて、
各係合突起を、突出部の先端側に形成するとともに、操作レバーの回転中心軸に沿った断面において元部側にかけて拡開されるように、外表面を傾斜させて構成し、
雌型部材を、鞄本体側に配置させて、
各被係合突起を、それぞれ、操作レバーの回転中心軸に沿った断面において、内表面を、各係合突起の外表面に略沿って傾斜して構成させるとともに、付勢手段によって内方に向かって突出するように付勢された状態で、凹部の内周面側に取り付ける構成とすることが、好ましい。
【００１３】
上記構成の鞄用蓋止め具では、雌型部材において、凹部の内周面から突出するように配置される各被係合突起が、付勢手段を介して凹部の内周面を凹ませて形成される収納部位に取り付けられる構成であり、これらの被係合突起を、付勢手段の付勢力に抗して、押圧し、収納部位内に収納させるように移動させることができる。また、この被係合突起の内表面は、雄型部材に形成される各係合突起の外表面に略沿うように、傾斜して構成されている。そのため、上記構成の鞄用蓋止め具では、操作レバーが非回動の位置にある状態で、雄型部材を雌型部材に接近させても、各被係合突起を、凹部内への突出部の進入に伴って、係合突起によって押圧することにより、収納部位内に収納させるように移動させることができて、突出部の凹部内への挿入が完了すれば、各被係合突起が、付勢手段を復元させるようにして、凹部の内周面から突出するように復帰し、各係合突起に係合されることとなる。すなわち、上記構成の鞄用蓋止め具では、操作レバー（雄型部材）が非回動の位置に配置されている場合であっても、操作レバーを回動させずに、単に、雄型部材の突出部を、雌型部材の凹部に挿入させるだけで、係合突起を被係合突起に係合させることができる。また、このとき、雄型部材と雌型部材とにそれぞれ配置される磁石間には、相互に引き合うような磁力が発生することとなる。そのため、上記構成の鞄用蓋止め具では、蓋体の先端側に配置される雄型部材を、鞄本体側に配置される雌型部材に接近させれば、雄型部材及び操作レバーがどのような状態であっても、磁石間に生ずる相互に引き合うような磁力により、雄型部材が、半自動的に、突出部を凹部内に挿入させるように移動して、係合突起と被係合突起とが、半自動的に相互に係合されることとなる。その結果、鞄用蓋止め具を上記構成とすれば、操作性が一層良好となる。
【００１４】
また、このような構成の鞄用蓋止め具は、ランドセルに好適に使用可能であり、ランドセルに使用する場合、鞄本体の底面側に配置される雌型部材若しくは雄型部材を、前後方向に沿って２個並設させる構成とすれば、鞄本体内への収納物の量に応じて、蓋体を止める位置を調節できて、好ましい。
【００１５】
さらに、上記構成の鞄用蓋止め具を有するランドセルにおいて、鞄用蓋止め具の左右両側に配置されて、背負いベルトの下端を係止するダルマ座金具の鞄本体の底面からの突出量を、雄型部材と雌型部材とを係合させた状態での操作レバーの前記底面からの突出量よりも大きくするように、構成すれば、使用時において、鞄本体の底面を下にして置いた際等に、操作レバーが傷つくことを抑制でき、例えば、操作レバーに、意匠性の良好な装飾用のラインストーン等を使用しても、操作レバーの耐久性を良好とすることができ、ラインストーンが外れることを抑制できる。
【図面の簡単な説明】
【００１６】
【図１】本発明の一実施形態である鞄用蓋止め具を使用したランドセルの斜視図である。
【図２】実施形態の蓋止め具の底面図である。
【図３】図２の蓋止め具の側面図である。
【図４】図２の蓋止め具の拡大断面図であり、図２のIV−IV部位に対応する。
【図５】図４において、雄型部材と雌型部材との部位を示す部分拡大断面図である。
【図６】実施形態の蓋止め具を構成する部材を示す分解斜視図である。
【図７】実施形態の蓋止め具における台座部の底面図である。
【図８】図７の台座部の拡大断面図であり、図７のVIII−VIII部位に対応する。
【図９】図７の台座部の拡大断面図であり、図７のIX−IX部位に対応する。
【図１０】実施形態の蓋止め具における連結板部の底面図である。
【図１１】図１０の連結板部の平面図である。
【図１２】図１０の連結板部の断面図であり、図１０のXII−XII部位に対応する。
【図１３】実施形態の蓋止め具における操作レバーの底面図である。
【図１４】図１３の操作レバーの断面図であり、図１３のXIV−XIV部位に対応する。
【図１５】実施形態の蓋止め具における雄型部材を示す図であり、（ａ）に底面図を、（ｂ）にＡ方向側から見た側面図を、（ｃ）にＢ方向側から見た側面図を、示す。
【図１６】図１５の雄型部材の断面図であり、（ａ）に図１５のＣ−Ｃ部位に対応する図を示し、（ｂ）に図１５のＤ−Ｄ部位に対応する図を示す。
【図１７】実施形態の蓋止め具におけるブラケットを示す図であり、（ａ）に底面図を、（ｂ）にＥ方向側から見た側面図を、（ｃ）にＦ方向側から見た側面図を、示す。
【図１８】操作レバーと雄型部材とを組み付けた状態の連結板部の平面図である。
【図１９】図１８の連結板部の側面図である。
【図２０】図１８のXX−XX部位の断面図である。
【図２１】図１８のXXI−XXI部位の断面図である。
【図２２】操作レバー及び雄型部材の回転状態を説明する概略図である。
【図２３】操作レバーを台座部に接近させて雄型部材と雌型部とを係合させる状態を説明する断面図である。
【図２４】操作レバーを台座部に接近させて雄型部材と雌型部とを係合させる状態を説明する断面図である。
【発明を実施するための形態】
【００１７】
以下、本発明の一実施形態を図面に基づいて説明する。実施形態では、鞄用蓋止め具（以下、単に「蓋止め具」と省略する）１１を備える鞄として、ランドセル１を例に採り説明する。
【００１８】
なお、実施形態では、特に断らない限り、上下前後左右の方向を、人に背負われる状態での上下・前後・左右の方向と一致させて、説明をする。
【００１９】
ランドセル１は、図１に示すように、教科書等を収納可能に、上方を開口させて構成される略直方体状の収納部３（鞄本体）と、収納部３の開口３ａを閉塞可能な蓋体５と、蓋体５を閉じて収納部（鞄本体）３側に止めるための蓋止め具１１と、使用時に背負うための２本の背負いベルト９と、背負いベルト９の下端側を係止するダルマ座金具６５と、を備える構成とされている。
【００２０】
蓋体５は、収納部３の前上縁側から延びるように構成されるもので、開口３ａの閉塞時に収納部３の開口３ａから後壁３ｂにかけての略全域にわたって覆い可能とされる略長方形状の蓋本体６と、蓋本体６の先端側（下端側）から延びて先端７ａ側に蓋止め具１１の雄型部材５３を配置させている連結片７と、を備えている。
【００２１】
蓋止め具１１は、図１〜６に示すように、収納部３の底壁３ｃ側に取り付けられる台座部１３と、蓋体５における連結片７の先端７ａ側に配置される連結板部３３と、連結板部３３を台座部１３に連結可能な雄型部材５３及び雌型部材（雌型部１９）と、蓋体５の表面側となる連結板部３３の表面側に配置される操作レバー４３と、を備えている。実施形態の場合、雄型部材５３は、蓋体５の先端７ａ側となる連結板部３３に、配置され、雌型部１９（雌型部材）は、収納部３（鞄本体）側となる台座部１３に、配置されている。なお、実施形態の蓋止め具１１は、女児用ランドセルに使用されるものである。
【００２２】
台座部１３は、図１〜４に示すように、収納部３の底壁３ｃの下面側（底面側）に取り付けられるもので、実施形態の場合、左右方向に略沿って配置される長尺状として、構成されている。詳細には、台座部１３は、表面にソフトニッケルメッキを施した合成樹脂製（ＡＢＳ樹脂製）として、外形形状を、図７に示すように、蝶結びしたリボンを模した扁平な立体形状とされている。実施形態の場合、台座部１３は、図８，９に示すように、ランドセル１の表面側に露出して配置される台座部本体１４と、雌型部１９における凹部２０の底面側の部位を構成する底壁部材１５と、底壁部材１５において磁石２７を収納させる部位の上面側を覆う蓋部材１７と、の３つの部材を有する構成とされている。そして、台座部１３において、左右の中央側の部位が、外形形状を扁平な略円柱状として、連結板部３３を連結させる連結部１８を、構成している。そして、連結部１８には、図７に示すように、雌型部材を構成する雌型部１９，１９が、前後方向に沿って２個並設されている。
【００２３】
各雌型部１９は、それぞれ、連結部１８を下面側から略円筒状に凹ませて形成される凹部２０と、凹部２０の内周面側において内方に突出するように形成される被係合突起２２と、凹部２０の底面側に配置される磁石２７と、を備えている。各凹部２０は、雄型部材５３に形成される突出部５４を挿入可能な大きさに設定されるもので、実施形態の場合、二つの凹部２０は、一部の領域を共有するように、上下の全域にわたって前後で連通されている（図７，８参照）。被係合突起２２は、雄型部材５３に形成される係合突起５５に対応して配置されるもので、実施形態の場合、図７，９に示すように、各凹部２０の中心軸の左右両側となる２箇所（雄型部材５３を取り付けた状態での操作レバー４３の回転中心軸Ｃ１を中心として点対称、実施形態の場合、左右対称となる２箇所）に、形成されている。これらの被係合突起２２は、連結部１８において、各凹部２０の内周面２０ａを構成する部位であって、凹部２０の中心軸の左右両側となる位置において、収納部位１９ａ内に配置されている。被係合突起２２を収納させる収納部位１９ａは、それぞれ、凹部２０の内周面２０ａを凹ませるようにして形成されている。詳細には、各被係合突起２２は、図９に示すように、凹部２０の内周面２０ａから内方に突出する突起本体２３と、収納部位１９ａ内に配置される取付部２４と、を備える構成とされており、収納部位１９ａの底部１９ｂとの間に、突起本体２３を、凹部２０の内周面２０ａから突出させるように付勢させる付勢手段としてのコイルばね２５を介在させ、このコイルばね２５を介して、収納部位１９ａの底部１９ｂに取り付けられている。このコイルばね２５は、被係合突起２２を左右の外方（収納部位１９ａの内方）に押圧した際に、付勢力に抗して、被係合突起２２の突起本体２３全体を、収納部位１９ａ内に収納させるように圧縮可能に、構成されている（図２４参照）。各被係合突起２２において、突起本体２３は、図９に示すように、操作レバー４３の回転中心軸Ｃ１に沿った断面（左右方向に沿った断面）において、上端（元部）側の取付部２４からの突出量を大きくするように、内表面２３ａを、下端（先端）側を左右の外方に向けるようして、上下方向に対して、傾斜させて、構成されている。この突起本体２３の内表面２３ａの傾斜は、図５に示すように、係合突起５５の外表面５５ａの傾斜に略沿うように、構成されている。また、突起本体２３の上端（元部）側の端面２３ｂは、左右方向に略沿うように、形成されており、この端面２３ｂを、係合突起５５の元部側の端面５５ｂと相互に係止させることにより、被係合突起２２の突起本体２３は係合突起５５と係合される構成である（図５参照）。
【００２４】
磁石２７は、実施形態の場合、凹部２０の底面を構成する底壁部材１５に形成される磁石収納部１６内に収納されて、凹部２０の底面２０ｂ側に配置されるもので、底壁部材１５に形成される磁石収納部１６は、底壁部材１５を部分的に下方に突出させるようにして、形成されており、磁石２７の外周側を略隙間なく覆うとともに、外形形状を略円柱状とされている（図７〜９参照）。また、図７，８に示すように、磁石収納部１６の下面１６ａ側における中央付近には、上方に向かって略半球状に凹むような凹部１６ｂが、形成され、凹部１６ｂの周縁部位１６ｃは、段差状として僅かに下方に突出するように形成されている。この凹部１６ｂは、雄型部材５３の磁石収納部６０に形成される突起部６０ｂに対応して形成されるもので、実施形態の場合、内部に突起部６０ｂを収納させた状態で、突起部６０ｂの周縁部位６０ｃを、周縁部位１６ｃに当接させるように、構成されている（図５参照）。磁石２７は、長手方向を左右方向に沿わせた略直方体状として、中心を、凹部２０の中心（操作レバー４３の回転中心軸Ｃ１）と略一致させるようにして、凹部２０の底面２０ｂ側に配置されている。実施形態の場合、磁石２７は、前後で極を異ならせており、図７に示すように、後側半分の領域をＮ極２７Ｎとし、前側半分の領域をＳ極２７Ｓとされている。また、磁石２７の上面側は、図８，９に示すように、蓋部材１７によって、覆われている。蓋部材１７は、実施形態の場合、両方の雌型部１９，１９の上方を覆い可能に、外形形状を、略長円板状とされている（図６参照）。
【００２５】
また、実施形態では、台座部１３（台座部本体１４）における左右両端側は、ダルマ座金具６５を取り付ける取付部位２９とされている。この取付部位２９は、間に略円板状のスペーサ３０を介在させた状態でダルマ座金具６５を取り付ける構成とされるもので、下面側を、図７，９に示すように、スペーサ３０を配置可能な平面状とされて、ダルマ座金具取付用のカシメ鋲６６を挿通可能な挿通孔２９ａを、上下に貫通させている。また、スペーサ３０にも、このカシメ鋲６６を挿通させるための挿通孔３０ａが、上下に貫通して形成されている（図４参照）。スペーサ３０は、実施形態の場合、操作レバー４３に配置される後述するラインストーン５０と同系色に着色された合成樹脂製とされている。
【００２６】
蓋体５における連結片７の先端７ａ側に配置される連結板部３３は、先端側を略半円形状とした平板状として構成されるもので、実施形態の場合、図１０〜１２に示すように、連結片７の先端７ａ側を表裏から挟持して取り付けられる表側プレート３４と裏側プレート４０とから構成されている。表側プレート３４及び裏側プレート４０は、台座部１３と同様に、表面にソフトニッケルメッキを施した合成樹脂製（ＡＢＳ樹脂製）とされている。表側プレート３４は、連結片７の表側（下面側）に配置されるもので、雄型部材５３を挿通可能な挿通孔３５を有するとともに、この挿通孔３５の周縁から上方に延びて雄型部材５３の下部側の領域の外周側を覆う略円筒状のカバー部３６を、備える構成とされている。カバー部３６の上端側は、図１１，１２に示すように、左右両側の部位を、部分的に、連続的に切り欠かれている。これらの切欠部３７は、カバー部３６の中心（操作レバー４３の回転中心軸Ｃ１）を中心として点対称形（実施形態の場合、左右対称となる位置）に形成されるもので、非回動の状態の雄型部材５３における係合突起５５の下側となる位置に、配置されている。この切欠部３７は、周方向に沿った長さ寸法（開口幅寸法）を、被係合突起２２の突起本体２３を挿入可能な寸法に設定されるもので、係合突起５５と被係合突起２２との係合時には、これらの切欠部３７の部位に、被係合突起２２の突起本体２３が、配置されることとなる。また、各切欠部３７は、周方向に沿った長さ寸法を、係合突起５５の周方向に沿った長さ寸法より小さく設定されている。詳細には、実施形態の場合、各切欠部３７は、図１１に示すように、中心角を５０°程度とした孤の領域を、切り欠くようにして、形成されている。すなわち、係合突起５５は、いずれの状態においても、上下方向側からみて、カバー部３６において切欠部３７を備えていない部位（切り欠かれていない一般部３８）と、重なる領域を有している（図２２参照）。このカバー部３６における一般部３８は、係合突起５５の下端（元部）側の端面５５ｂと常時当接するもので、ストッパとして、雄型部材５３が操作レバー４３ごと連結板部３３に対して下降移動することを防止している。
【００２７】
また、表側プレート３４の表面側（下面側）において、挿通孔３５の周縁となる部位には、図１０，１２に示すように、部分的に段差状に切り欠かれる段差部３９が、形成されている。この段差部３９は、図２１に示すように、雄型部材５３の下端５３ｂ側に形成される係止爪部５７（図１５参照）を係止させるためのもので、係止爪部５７に対応して、カバー部３６の中心（操作レバー４３の回転中心軸Ｃ１）を中心として点対称形となるように、形成されている。これらの段差部３９は、一部を除いて、挿通孔３５の周縁に、連続的に形成されており、操作レバー４３の回動時に、周方向に沿った両側の端面３９ａ，３９ｂ（図１０参照）に係止爪部５７を当接させることにより、雄型部材５３及び操作レバー４３のさらなる回転を規制可能な構成とされている。すなわち、実施形態の蓋止め具１１では、この段差部３９により、操作レバー４３（雄型部材５３）の回動範囲が規定されている。具体的には、実施形態の場合、段差部３９は、操作レバー４３を、係合突起５５と被係合突起２２とを係合させている非回転位置よりも、使用者側から見て右方の角度領域のみにおいて、係合突起５５と被係合突起２２との係合を解除する方向である右方と、係合突起５５と被係合突起２２とを係合させる方向である左方と、に、回転可能で、かつ、回転角度を１２０°とするように、構成されている。
【００２８】
裏側プレート４０には、表側プレート３４に形成されるカバー部３６を挿通させて上方に突出可能とする挿通孔４０ａが、形成されている。そして、表側プレート３４と裏側プレート４０とは、間に連結片７の先端７ａ側を介在させた状態で、外周縁近傍となる３箇所をビス止めされて、連結片７を挟持しつつ、相互に連結される構成である。
【００２９】
操作レバー４３は、台座部１３と同様に、表面にソフトニッケルメッキを施した合成樹脂製（ＡＢＳ樹脂製）として、図１３に示すように、外形形状を、実施形態の場合、ハート形の扁平な立体形状とされている。操作レバー４３は、ブラケット４６を用いて雄型部材５３に連結され、この雄型部材５３を連結板部３３に回動可能に取り付けることにより、連結板部３３に対して回動可能に取り付けられている。なお、操作レバー４３、操作レバー４３に連結される雄型部材５３、及び、ブラケット４６に関しては、非回動の状態を基準として、部材の配置位置を説明する。
【００３０】
操作レバー４３は、図１３，１４に示すように、表面（下面）側の中央に、雄型部材５３を取り付けるためのブラケット４６を取り付け、かつ、装飾用のラインストーン５０を収納させる収納凹部４４を、下面側から凹ませるようにして、配設させるとともに、この収納凹部４４を構成する部位の上面から上方（台座部１３側）に突出するリブ部４５を、備えている。収納凹部４４は、操作レバー４３の表面（下面）を断面略円柱状に凹ませて構成されるもので、底面に、雄型部材５３を取り付けるためのブラケット４６の２つの係止脚部４８を挿通させるための挿通孔４４ａを、配置させている。挿通孔４４ａは、断面略円弧状に湾曲して形成される係止脚部４８を挿通可能に、開口形状を、操作レバー４３の回転中心軸Ｃ１を中心とした略円弧状に湾曲させて構成されている（図１３参照）。各挿通孔４４ａは、操作レバー４３の回転中心軸Ｃ１を中心とした点対称形とされて、実施形態の場合、雄型部材５３に形成される係止脚部４８を係止させるための係止穴５８の位置に対応して、左斜め後方と右斜め前方となる位置に、形成されている。
【００３１】
リブ部４５は、挿通孔４４ａ，４４ａ間の中央を通るような略板状として（下方から見て左右方向に対して右側を後方に向けるように傾斜して配置され）、収納凹部４４の幅方向の略全域にわたって、配置されている。このリブ部４５は、先端４５ａ（上端）側にかけて僅かに狭幅となるように形成されるとともに、先端４５ａ側を、断面略半円形状に湾曲させて構成されている。リブ部４５は、長さ寸法を、雄型部材５３の外径寸法より大きく設定されて、かつ、表側プレート３４に形成されるカバー部３６（挿通孔３５）に挿通可能な寸法に、設定されている。このリブ部４５は、雄型部材５３に配置される磁石６２との間の隙間を埋めるためのものであり、突出高さを、先端４５ａ（上端）を磁石６２に当接可能な寸法に、設定されている。すなわち、このリブ部４５は、先端４５ａを磁石６２と当接させることにより（図２０，２１参照）、使用時に、磁石６２が上下に動くことを防止するストッパの役目も果たしている。
【００３２】
ブラケット４６は、図１７，２０，２１に示すように、収納凹部４４内に配置される平板状の基部４７と、基部４７から上方に延びる２つの係止脚部４８，４８と、を備えている。実施形態の場合、ブラケット４６は、耐久性の良好なポリアセタール樹脂から形成されている。係止脚部４８は、収納凹部４４に形成される挿通孔４４ａに挿通されるもので、係止脚部４８の先端（上端）側には、図２１に示すように、雄型部材５３に形成される係止穴５８に係止される突出片４８ａが、外方に突出するように、形成されている。また、実施形態の操作レバー４３では、収納凹部４４に、キャップ部４９を介して、装飾用のラインストーン５０が収納されている。キャップ部４９は、図２，６，２０，２１に示すように、ブラケット４６の基部４７の下面側を覆いつつ、収納凹部４４と基部４７との間の隙間を埋めるように配置されるもので、操作レバー４３と同様に、表面にソフトニッケルメッキを施した合成樹脂製（ＡＢＳ樹脂製）とされている。ラインストーン５０は、実施形態の場合、ピンク色の合成樹脂製として、図２，６に示すように、外形形状を略ハート形として、キャップ部４９に貼着されている。
【００３３】
雄型部材５３は、ブラケット４６と同様に、ポリアセタール樹脂から形成されるもので、図２１に示すように、操作レバー４３から延びるブラケット４６の係止脚部４８を利用して、操作レバー４３を連結させている。雄型部材５３は、磁石６２を有するとともに、外形形状を略円筒状として構成されて（図１５，１６参照）、図１９〜２１に示すように、上端側の一部を、連結板部３３から上方に突出させるように、連結板部３３に連結されている。詳細には、雄型部材５３は、図１６に示すように、上下の中央よりやや上方となる位置に、内部に磁石６２を収納させる磁石収納部６０を、下方を開口させて有し、この磁石収納部６０以外の部位を、略筒状として構成されている。磁石収納部６０は、磁石６２の外周側を隙間なく覆い可能に、磁石６２の外形形状に合わせて略直方体状に切り欠かれて構成されており、磁石収納部６０の上方（台座部１３側）は、閉塞されている。磁石収納部６０の上面６０ａ側における中央付近には、図１６に示すように、上方に向かって略半球状に突出する突起部６０ｂが形成され、この突起部６０ｂの周縁部位６０ｃも、段差状として、上面６０ａにおける他の部位よりも僅かに上方に突出するように形成されている。この突起部６０ｂは、雌型部１９における磁石収納部１６の下面１６ａに形成される凹部１６ｂ内に収納可能に構成されるもので、上述したように、突起部６０ｂを凹部１６ｂ内に収納させた状態で、各周縁部位１６ｃ，６０ｃが相互に当接するように構成されている。すなわち、実施形態では、係合突起５５を被係合突起２２と係合させた際に、各周縁部位１６ｃ，６０ｃが、相互に当接されることとなり、磁石収納部１６，６０におけるその周囲の部位には、間に僅かに隙間が設けられることとなる（図５参照）。また、雄型部材５３は、上端５３ａ側と下端５３ｂ側とを開口させて構成されている（図１６参照）。
【００３４】
そして、実施形態の雄型部材５３では、連結板部３３から上方に突出している部位を、雌型部１９の凹部２０内に挿入可能な突出部５４としている（図１９参照）。雄型部材５３の上端５３ａ側（突出部５４の先端５４ａ側）には、雌型部１９の被係合突起２２に係合される係合突起５５が、図１６に示すように、突出部５４の外周面５４ｂから外方に突出するように、形成されている。係合突起５５は、操作レバー４３の回転中心軸Ｃ１（突出部５４の中心）を中心として略対称となる２箇所に、形成されるもので、実施形態の場合、操作レバー４３の回転中心軸Ｃ１を中心として点対称形として、それぞれ、突出部５４の円周の略１／４程度の領域にわたって、連続的に、形成されている（図１５参照）。実施形態の場合、各係合突起５５は、非回動の状態で左右対称形とされておらず、左右対称となる位置に配置される各被係合突起２２の突起本体２３に対する係合を、それぞれ、操作レバー４３（雄型部材５３）を右側に９０°回転させた際に解除されるように、構成されている。具体的には、右側の係合突起５５Ｒは、図１５の（ａ）に示すように、前後の中央より後方に大きく延びるように配置され、左側の係合突起５５Ｌは前後の中央より前方に大きく延びるように配置されている。また、各係合突起５５は、外表面５５ａを、操作レバー４３の回転中心軸Ｃ１に沿った断面（左右方向に沿った断面）において、下端（元部）側の突出部５４からの突出量を大きくするように、上端（先端）側を左右の内方に向けるようして、上下方向に対して、傾斜させて、構成されている。また、係合突起５５の下端（元部）側の端面５５ｂは、左右方向に略沿うように、形成されており、この端面５５ｂを、被係合突起２２における突起本体２３の元部側の端面２３ｂと相互に係止させることにより、被係合突起２２を係合させる構成である。また、突出部５４における上端側の部位は、係合突起５５と被係合突起２２とを係合させた際に、雌型部１９の磁石収納部１６を挿入可能な凹状とされている。
【００３５】
雄型部材５３の下端５３ｂ側には、図１５，１６に示すように、表側プレート３４に形成される段差部３９に係止される係止爪部５７が、形成されている。この係止爪部５７は、雄型部材５３の下端５３ｂ側を部分的に外方へ突出させるようにして形成されるもので、元部側（上端側）の外方への突出量を大きくして、先端側（下端側）にかけて収束するように構成されている。実施形態の場合、係止爪部５７は、上下方向側からの投影状態の雄型部材５３において、係合突起５５の配置されない領域に形成されており（図１５の（ａ）参照）、操作レバー４３の回転中心軸Ｃ１（突出部５４の中心）を中心として点対称形となるように、形成されている。実施形態の場合、係止爪部５７は、上下方向側から見て、ブラケット４６の係止脚部４８と略一致した位置に、形成されている。この係止爪部５７は、元部側の端面５７ａを、段差部３９の上面３９ｃ（図１２参照）に当接させることにより、雄型部材５３が操作レバー４３ごと連結板部３３に対して上方移動することを防止すると同時に、操作レバー４３の回動時に、段差部３９の周方向の端面３９ａ，３９ｂに当接させることにより、さらなる操作レバー４３の回転移動を防止するストッパとしての役割も果たしている。
【００３６】
また、実施形態の雄型部材５３において、係止爪部５７の直上となる位置には、操作レバー４３から延びるブラケット４６の係止脚部４８の先端（上端）側に配置される突出片４８ａを係止可能な係止穴５８が、形成されている。この係止穴５８は、図２１に示すように、雄型部材５３の内周側を通るように配置される係止脚部４８の先端から外方に突出するように形成される突出片４８ａを周縁で係止可能に、貫通して形成されている。また、詳細には、係止穴５８は、磁石収納部６０と隣接して、形成されている。そして、実施形態では、ブラケット４６の係止脚部４８の先端に形成される突出片４８ａを係止穴５８の周縁に係止させることにより、操作レバー４３と雄型部材５３とが連結され、操作レバー４３の回動時に、雄型部材５３も連動して、蓋体５における連結片７の表面に沿って回動されることとなる。また、雄型部材５３には、操作レバー４３に形成されるリブ部４５を挿入可能な挿入凹部５９が、下端側から切り欠かれて、形成されている（図１５，１６参照）。
【００３７】
磁石収納部６０内に収納される磁石６２は、雌型部１９側に配置される磁石２７と同一の大きさのものを使用されており、長手方向を左右方向に沿わせた略直方体状として、中心を、雄型部材５３の中心軸（操作レバー４３の回転中心軸Ｃ１）と略一致させるようにして、磁石収納部６０内に収納されている。この磁石６２は、上下方向側から見た状態で、雌型部１９側の磁石２７と略一致して、この雌型部１９側に配置される磁石２７との間に、相互に引き付け合うような磁力を作用させるように、配置されている。実施形態の場合、磁石６２は、前後で極を異ならせており、後側半分の領域をＳ極６２Ｓとし、前側半分の領域をＮ極６２Ｎとされている（図１８参照）。
【００３８】
背負いベルト９の下端を連結させるためのダルマ座金具６５は、上述したように、スペーサ３０を介在させた状態で、台座部１３の左右両端側の取付部位２９を経て、収納部３の底壁３ｃに、カシメ鋲６６を用いて取り付けられている（図２〜６参照）。実施形態では、ダルマ座金具６５は、スペーサ３０を間に介在させることにより、図４に示すように、収納部３の底面からの突出量Ｈ１を、雄型部材５３と雌型部１９とを係合させた状態での操作レバー４３の底面からの突出量Ｈ２よりも大きくするように、構成されている。
【００３９】
次に、実施形態の蓋止め具１１を用いた蓋体５の収納部３への着脱について説明をする。蓋体５を収納部３に取り付けられた状態、すなわち、係合突起５５と被係合突起２２とを係合させた操作レバー４３の非回動の状態では、雄型部材５３側に配置される磁石６２と、雌型部１９側に配置される磁石２７と、は、図２２のＡに示すように、極を前後で逆にして、両者の間に、上下方向側から見た状態で、全面にわたって相互に引き合うような磁力（吸着磁力）を作用させて、配置されている。また、実施形態の蓋止め具１１では、各磁石２７，６２は、図４，５に示すように、周囲を覆う磁石収納部１６，６０を、間に僅かな隙間を設けるように近接して配置され、各磁石２７，６２の間には、それぞれ、磁石収納部１６，６０が介在されるのみであることから、磁石２７，６２間には強力に引き合うような磁力が作用している。また、このとき、被係合突起２２の突起本体２３は、図２２のＡに示すように、周方向の全域にわたって、係合突起５５と係合されている。そして、この状態から、操作レバー４３を右側に回転させれば、操作レバー４３に連動して雄型部材５３及び磁石６２も右側に回転されることとなり、磁石６２，２７間には、この操作レバー４３の回転に伴って、相互に反発させるような磁力（反発磁力）の作用する面（図２２の網掛け部分参照）が、図２２のＢ，Ｃに示すように、徐々に増加していく。そして、回転角度が９０°に到達した時点で、磁石６２，２７間における吸着磁力の作用する面と反発磁力の作用する面との面積が略同一となり（図２２のＤ参照）、このとき、係合突起５５の右側への回転により、係合突起５５と被係合突起２２の突起本体２３との係合も、完全に解除されることとなる。そしてさらに操作レバー４３を右側に回転させれば、図２２のＥに示すように、磁石６２，２７間における反発磁力の作用する面の面積が、吸着磁力の作用する面の面積を逆転して大きくなることから、磁石６２，２７間に生ずる反発磁力によって、雄型部材５３が、雌型部１９から浮き上がるように半自動的に移動することとなり、操作レバー４３が、連結板部３３ごと台座部１３から浮き上がるような態様となって、蓋体５を収納部３から取り外すことができる。
【００４０】
逆に、蓋体５を収納部３に取り付ける際には、操作レバー４３が回動された状態では、操作レバー４３及び連結板部３３を台座部１３に接近させ、雄型部材５３の突出部５４を雌型部１９の凹部２０内に挿入させれば、図２３に示すように、被係合突起の突起本体２３が、凹部２０の内周面２０ａからの突出状態を維持されたまま、カバー部３６の切欠部３７内に挿入されることとなる。そして、操作レバー４３を左側に回転させれば、雄型部材５３側に配置される磁石６２が、相互に引き合うような吸着磁力を受けて、非回動状態の位置に戻るように、左側に回転されつつ、磁石収納部１６，６０を介して雌型部１９側の磁石２７と相互に当接されることとなる。そして、この雄型部材５３側の磁石６２の回転に伴って、操作レバー４３及び雄型部材５３も左側に回転されることとなり、雄型部材５３に配置される係合突起５５が、雌型部１９に配置される被係合突起２２の突起本体２３と係合されることとなって、蓋体５を収納部３に取り付けることができる。
【００４１】
また、蓋体５を収納部３に取り付ける際において、操作レバー４３が非回動の位置に戻っている状態では、操作レバー４３をそのまま連結板部３３とともに台座部１３に接近させれば、磁石２７，６２が相互に引き合うこととなり、雄型部材５３の突出部５４が、この磁石２７，６２間に生じる吸着磁力を受けて、半自動的に雌型部１９の凹部２０内に挿入されることとなる。このとき、図２４に示すように、雄型部材５３に形成される係合突起５５によって、雌型部１９に形成される被係合突起２２を、コイルばね２５を圧縮させるようにして外方へ押圧しつつ、突出部５４が凹部２０内に進入することとなり、磁石２７，６２相互が、磁石収納部１６，６０を介して当接されれば、コイルばね２５が復元して、被係合突起２２が定常位置に復帰することとなり、雄型部材５３に配置される係合突起５５が、雌型部１９に配置される被係合突起２２の突起本体２３と係合されることとなって、蓋体５を収納部３に取り付けることができる。
【００４２】
実施形態の蓋止め具１１では、蓋体５の先端７ａ側若しくは収納部３（鞄本体）側にそれぞれ配置される雌型部１９（雌型部材）及び雄型部材５３が、それぞれ、磁石２７，６２を備える構成とされ、これらの磁石２７，６２は、係合突起５５と被係合突起２２との係合時に、相互に引き付け合うような磁力を作用させ、操作レバー４３の回動時に、反発するような磁力を作用させるように、配置される構成である。そして、実施形態の鞄用蓋止め具１１では、係合突起５５と被係合突起２２とを係合させている状態から、操作レバー４３を回動させれば、蓋体５側に配置される雄型部材５３が、操作レバー４３に連動して回動されて、係合突起５５と被係合突起２２との係合状態が解除されることとなり、また、上記した如く、磁石２７，６２相互が相互に反発することとなる。そのため、蓋体５側に配置される雄型部材５３は、操作レバー４３を回動させれば、収納部３（鞄本体）側に配置される雌型部１９に対して、係合突起５５と被係合突起２２との係合状態を解除されると同時に、この磁石２７，６２間に作用する反発力を受けて、収納部３（鞄本体）側の雌型部１９から離れやすくなる。また、雄型部材５３と雌型部１９とを係合させる際にも、雄型部材５３に形成される突出部５４を、雌型部１９に形成される凹部２０内に挿入させれば、蓋体５側に配置される磁石６２が、収納部３（鞄本体）側に配置される磁石２７と引き合って、蓋体５側に配置される雄型部材５３及び操作レバー４３ごと回動されることとなり、このような磁石２７，６２間に生じる相互に引き合うような磁力を利用して、雄型部材５３と雌型部１９とが、係合突起５５と被係合突起２２とを係合させるようにして、半自動的に相互に係合されることとなる。そのため、実施形態の蓋止め具１１は、雄型部材５３と雌型部１９とに配置される磁石６２，２７の磁力を補助的に利用して、雌型部１９と雄型部材５３とを係合若しくは係合解除させる構成であることから、雌型部１９と雄型部材５３との係合及び係合解除が容易であり、小学校低学年の小さな子供でも楽に操作することができる。
【００４３】
また、実施形態の蓋止め具１１では、操作レバー４３に連動するように配置される雄型部材５３を、収納部３（鞄本体）側に配置される雌型部１９に係合させることにより、蓋体５を収納部３（鞄本体）に止める構成であり、操作レバー４３自体を用いて、雄型部材５３と雌型部１９とを連結させる構成ではないことから、操作時に把持し易い形状であれば、操作レバー４３の外形形状を大きく変更することが可能である。そのため、操作レバー４３のデザインの自由度が高く、意匠に富んだ蓋止め具１１を製造することができる。
【００４４】
したがって、実施形態の蓋止め具１１は、操作性が良好であり、蓋体５を容易に開閉可能で、かつ、デザインの自由度も高い。
【００４５】
また、実施形態の蓋止め具１１では、各係合突起５５を、操作レバー４３の回転中心を中心として略対称となる２箇所に、形成するとともに、それぞれ、突出部５４の円周の略１／４程度の領域に、連続的に形成させていることから、対称的な位置に配置される二対の係合突起５５及び被係合突起２２によって、安定して、係合状態を維持させることができる。また、操作レバー４３を９０°程度回動させなくては、係合突起５５と被係合突起２２との係合状態を解除できないことから、操作レバー４３が不用意に回動して係合突起５５と被係合突起２２との係合状態が解除されることも、防止できる。勿論、このような点を考慮しなければ、係合突起を、突出部の周方向に沿った長さ寸法を短くするように、構成してもよい。
【００４６】
さらに、実施形態の蓋止め具１１では、操作レバー４３を、使用者側から見て右方にのみ回転可能で、かつ、回転角度を１２０°以下の範囲内に設定させるように構成して、操作レバー４３の回動範囲を定めている。そのため、操作レバー４３を、停止するまで右方向に回転させれば、確実に、雄型部材５３と雌型部１９との係合状態を解除させることができて、操作レバーを左右どちらにも回動可能とし、かつ、回動範囲を定めない構成とする場合と比較して、操作レバーを操作し易い。勿論、このような点を考慮しなければ、操作レバーを、左右どちらにも回動可能とし、かつ、回動範囲を定めない構成としてもよい。
【００４７】
さらにまた、実施形態の蓋止め具１１では、蓋体５側に配置される雄型部材５３の各係合突起５５が、突出部５４の先端５４ａ側に形成されるとともに、操作レバー４３の回転中心軸Ｃ１に沿った断面において元部側にかけて拡開されるように、外表面５５ａを傾斜させて構成されている。そして、収納部３（鞄本体）側に配置される雌型部１９の各被係合突起２２における突起本体２３は、それぞれ、操作レバー４３の回転中心軸に沿った断面において、内表面２３ａを、各係合突起５５の外表面５５ａに略沿って傾斜して構成させるとともに、付勢手段としてのコイルばね２５によって内方に向かって突出するように付勢された状態で、凹部２０の内周面２０ａを凹ませて形成される収納部位１９ａ内に取り付けられている。すなわち、実施形態の蓋止め具１１では、雌型部１９に配置される被係合突起２２の突起本体２３を、コイルばね２５の付勢力に抗して、押圧し、収納部位１９ａ内に収納させるように移動させることができる。さらに、この被係合突起２２における突起本体２３の内表面２３ａは、雄型部材５３に形成される各係合突起５５の外表面５５ａに略沿うように、傾斜して構成されている。そのため、実施形態の蓋止め具１１では、操作レバー４３が非回動の位置にある状態で、雄型部材５３を雌型部１９に接近させても、各被係合突起２２の突起本体２３を、凹部２０内への突出部５４の進入に伴って、係合突起５５によって押圧することにより、収納部位１９ａ内に収納させるように移動させることができて、突出部５４の凹部２０内への挿入が完了すれば、各被係合突起２２の突起本体２３が、コイルばね２５を復元させるようにして、凹部２０の内周面２０ａから突出するように復帰し、各係合突起５５に係合されることとなる。
【００４８】
すなわち、実施形態の蓋止め具１１では、操作レバー４３（雄型部材５３）が非回動の位置に配置されている場合であっても、操作レバー４３を回動させずに、単に、雄型部材５３の突出部５４を、雌型部１９の凹部２０に挿入させるだけで、係合突起５５を被係合突起２２に係合させることができる。そして、このとき、雄型部材５３と雌型部１９とにそれぞれ配置される磁石６２，２７間には、相互に引き合うような磁力が発生することとなる。そのため、実施形態の蓋止め具１１では、蓋体５の先端７ａ側に配置される雄型部材５３を、収納部３（鞄本体）側に配置される雌型部１９に接近させれば、雄型部材５３及び操作レバー４３がどのような状態であっても、磁石６２，２７間に生ずる相互に引き合うような磁力により、雄型部材５３が、半自動的に、突出部５４を凹部２０内に挿入させるように移動して、係合突起５５と被係合突起２２とが、半自動的に相互に係合されることとなる。その結果、開閉時の操作性が一層良好となる。勿論、このような点を考慮しなければ、被係合突起を、付勢手段を介して、雌型部の凹部内に配置させなくともよい。
【００４９】
また、実施形態の蓋止め具１１では、収納部３（鞄本体）の底面（底壁３ｃ）側に配置される雌型部１９を、前後方向に沿って２個並設させていることから、収納部３内への収納物の量に応じて、蓋体５を止める位置を調節でき、ランドセル１に好適である。勿論、このような点を考慮しなければ、雌型部を１個のみ配置させる構成としてもよい。
【００５０】
さらに、実施形態のランドセル１では、蓋止め具１１の左右両側に配置されて、背負いベルト９の下端を係止するダルマ座金具６５が、スペーサ３０を介在させて、台座部１３における取付部位２９に取り付けられて、収納部３（鞄本体）の底面（底壁３ｃ）からの突出量を、雄型部材５３と雌型部１９とを係合させた状態での操作レバー４３の底面からの突出量よりも大きくするように、構成されている。そのため、ランドセル１の使用時において、収納部３の底壁３ｃを下にして置いた際等に、操作レバー４３が傷つくことを抑制でき、実施形態の如く、操作レバー４３に、意匠性の良好な装飾用のラインストーン５０を使用しても、操作レバー４３の耐久性を良好とすることができ、ラインストーン５０が外れることを抑制できる。そして、実施形態の蓋止め具１１では、操作レバー４３にラインストーン５０を使用することにより、操作レバー４３の意匠性を一層良好にすることができ、さらには、実施形態では、ダルマ座金具６５と台座部１３との間に介在されるスペーサ３０も、ラインストーン５０と同系色に着色されていることから、蓋止め具１１全体を、統一感のあるデザインとすることができる。
【００５１】
なお、実施形態のランドセル１では、雄型部材５３を蓋体５側に配置させ、雌型部１９（雌型部材）を収納部３（鞄本体）側に配置させているが、もちろん、逆の構成として、雄型部材を鞄本体側に配置させ、雌型部材を蓋体側に配置させる構成としてもよい。しかしながら、ランドセル１を、収納部３の底壁３ｃを机等に接触させるように立てて置くことを考慮すれば、凹凸の少ない雌型部材を収納部側に配置させることが、望ましい。
【００５２】
また、実施形態では、ランドセルを例に採り説明しているが、本発明を適用可能な鞄はランドセルに限られるものではなく、大人が使用する普通の鞄に、本発明を適用してもよい。
【符号の説明】
【００５３】
１…ランドセル（鞄）、３…収納部（鞄本体）、５…蓋体、１１…蓋止め具（鞄用蓋止め具）、１３…台座部、１９…雌型部（雌型部材）、１９ａ…収納部位、２０…凹部、２０ａ…内周面、２２…被係合突起、２５…コイルばね（付勢手段）、２７…磁石、３３…連結板部、４３…操作レバー、５０…ラインストーン、５３…雄型部材、５４…突出部、５４ａ…先端、５５…係合突起、６２…磁石、６５…ダルマ座金具。
【図１】
0005301743.tif 000002
【図２】
0005301743.tif 000003
【図３】
0005301743.tif 000004
【図４】
0005301743.tif 000005
【図５】
0005301743.tif 000006
【図６】
0005301743.tif 000007
【図７】
0005301743.tif 000008
【図８】
0005301743.tif 000009
【図９】
0005301743.tif 000010
【図１０】
0005301743.tif 000011
【図１１】
0005301743.tif 000012
【図１２】
0005301743.tif 000013
【図１３】
0005301743.tif 000014
【図１４】
0005301743.tif 000015
【図１５】
0005301743.tif 000016
【図１６】
0005301743.tif 000017
【図１７】
0005301743.tif 000018
【図１８】
0005301743.tif 000019
【図１９】
0005301743.tif 000020
【図２０】
0005301743.tif 000021
【図２１】
0005301743.tif 000022
【図２２】
0005301743.tif 000023
【図２３】
0005301743.tif 000024
【図２４】
0005301743.tif 000025